(57)【要約】【課題】  照明器具内への電源線引き込み作業が容易であり、引き込まれた電源線がランプに接近して加熱劣化してしまうのを防止することができて、薄型化が可能な照明器具を提供すること。【解決手段】  電源線２を引き込むための電源線引込孔３と、この電源線引込孔３から引き込まれた電源線２が接続される端子台７とを有する器具本体４と、この器具本体４の前方側に設置されたランプ６とを備え、電源線引込孔３から引き込まれた電源線２をランプ６に接近させることなく器具本体４内へ案内するためのガイド部１０が電源線引込孔３の前方側に設けられてなる。【選択図】図１
2005235710.tif 000002
【特許請求の範囲】
【請求項１】
電源線を引き込むための電源線引込孔と、この電源線引込孔から引き込まれた電源線が接続される端子台とを有する器具本体と、
この器具本体の前方側に設置されたランプとを備えた照明器具であって、
前記電源線引込孔から引き込まれた電源線をランプに接近させることなく器具本体内へ案内するためのガイド部が前記電源線引込孔の前方側に設けられてなることを特徴とする照明器具。
【請求項２】
前記ガイド部は、前記電源線引込孔と対向するガイド面を有し、このガイド面は器具本体と平行か又は電源線が引き込まれていく方向に向かって器具本体から離れるように傾斜してなることを特徴とする請求項１に記載の照明器具。
【請求項３】
前記ランプはその軸線が器具本体と角度ａをもつように設置されてなり、前記ガイド面と器具本体との角度が、前記角度ａと同じ又は角度ａよりも小さくされてなることを特徴とする請求項２に記載の照明器具。
【請求項４】
前記ガイド部は、器具本体前方側に突出し下方にのみ電源線引込孔とつながる開口部を有する箱型形状であり、この開口部から電源線が器具本体内の下方に向かって案内されるように形成されてなることを特徴とする請求項１乃至３のいずれかに記載の照明器具。
【請求項５】
前記端子台が電源線引込孔の側方で、前記ガイド部の開口部よりも高い位置に設けられてなることを特徴とする請求項４に記載の照明器具。
【発明の詳細な説明】
【技術分野】
【０００１】
本発明は、壁面等に設置される照明器具に関するものである。
【背景技術】
【０００２】
従来より、図３に示すような壁面等に設置される照明器具２１において、壁面から引き出された電源線２２を器具本体２４に設けられた電源線引込孔２３から器具本体２４内に引き込み、器具本体２４の前面側に設けられた端子台（図示せず）に接続するものがある。
【０００３】
器具本体２４は器具取付用孔２８においてねじ等を用いて器具裏面パッキン２９を介して壁面等に取り付けられる。また、ランプ２６はソケット取付台２７を介して器具本体２４に取り付けられたランプソケット２５に取り付けられている。
【０００４】
このような照明器具２１においては、電源線２２を引き込む際に電源線２２がランプ２６に接触してランプ２６が破損してしまうおそれがあり、電源線引き込み作業の作業性が悪くなるという問題があった。また、器具本体２４内に引き込んだ電源線２２がランプ２６に接近して加熱劣化してしまうおそれがあった。
【０００５】
ここで、壁面に設置され温風を吹き出す温風乾燥機において、器具本体への電源線引き込み作業を容易にするための構成が特許文献１に開示されている。
【０００６】
この構成において温風乾燥機３１は、図４に示すように、壁面３２に形成された窪状の電源ボックス３３の上部に取付金具３４を取り付け、この取付金具３４に掛止されるようになっている。
【０００７】
温風乾燥機３１の後面部を構成する樹脂製のベースカバー３５には、電源ボックス３３から引き出された電源線（図示せず）を温風乾燥機３１内へ引き込むための筒状の電源線引き込み用のガイド部３６が設けられている。
【０００８】
そして、ベースカバー３５の前面側には、上部板３７ａ、水平突出部３７ｂ及び下部板３７ｃを有するベースシャーシ３７が取り付けられており、下部板３７ｃはガイド部３６の前面側端部の前方に設けられている。
【０００９】
この下部板３７ｃの前面側に取り付けられた端子台３８に電源線が接続されるようになっている。
【特許文献１】実開平６−４１５９６号公報
【発明の開示】
【発明が解決しようとする課題】
【００１０】
特許文献１における構成においては、ガイド部３６が温風乾燥機３１内部に水平に突出しており、このような構成を壁面等に設置される照明器具に適用したとしても、引き込まれた電源線がランプに接近するのを防止することにはならず、また、照明器具の厚みが大きくなるという問題が想定される。
【００１１】
本発明は、かかる事由に鑑みてなしたもので、その目的とするところは、照明器具内への電源線引き込み作業が容易であり、引き込まれた電源線がランプに接近して加熱劣化してしまうのを防止することができて、薄型化が可能な照明器具を提供することにある。
【課題を解決するための手段】
【００１２】
上記課題を解決するために、本発明では、第１には、電源線を引き込むための電源線引込孔と、この電源線引込孔から引き込まれた電源線が接続される端子台とを有する器具本体と、この器具本体の前方側に設置されたランプとを備えた照明器具であって、前記電源線引込孔から引き込まれた電源線をランプに接近させることなく器具本体内へ案内するためのガイド部が前記電源線引込孔の前方側に設けられてなるようにする。
【００１３】
第２には、前記ガイド部は、前記電源線引込孔と対向するガイド面を有し、このガイド面は器具本体と平行か又は電源線が引き込まれていく方向に向かって器具本体から離れるように傾斜してなるようにする。
【００１４】
第３には、前記ランプはその軸線が器具本体と角度ａをもつように設置されてなり、前記ガイド面と器具本体との角度が、前記角度ａと同じ又は角度ａよりも小さくされてなるようにする。
【００１５】
第４には、前記ガイド部は、器具本体前方側に突出し下方にのみ電源線引込孔とつながる開口部を有する箱型形状であり、この開口部から電源線が器具本体内の下方に向かって案内されるように形成されてなるようにする。
【００１６】
第５には、前記端子台が電源線引込孔の側方で、前記ガイド部の開口部よりも高い位置に設けられてなるようにする。
【発明の効果】
【００１７】
上記本発明の第１の照明器具では、電源線引込孔から引き込まれた電源線をランプに接近させることなく器具本体内へ案内するためのガイド部が電源線引込孔の前方側に設けられてなるので、電源線を器具本体内へ引き込む際に電源線がランプに接触してランプが破損してしまうのを防止することができ、その結果、照明器具内への電源線引き込み作業が容易になる。
【００１８】
また、ガイド部によって、引き込まれた電源線がランプに接近するのを防止することができるので、施工後に電源線がランプに接近して加熱劣化してしまうのを防止することができる。
【００１９】
また、ガイド部がランプからの熱を吸収するので、電源線がランプから受ける熱の影響を低減することができる。その結果、ランプをより器具本体側に近づけることができ、照明器具の薄型化が可能となる。
【００２０】
上記本発明の第２の照明器具では、上記第１の照明器具と同様の効果が得られ、また、ガイド部は電源線引込孔と対向するガイド面を有し、このガイド面は器具本体と平行か又は電源線が引き込まれていく方向に向かって器具本体から離れるように傾斜してなるので、電源線をよりスムーズに器具本体内へ引き込むことができる。
【００２１】
上記本発明の第３の照明器具では、上記第１の照明器具と同様の効果が得られ、また、ランプはその軸線が器具本体と角度ａをもつように設置されてなり、ガイド面と器具本体との角度が、角度ａと同じ又は角度ａよりも小さくなるようにするので、電源線とランプとの距離が縮まることがなく、電源線がランプに接近して加熱劣化してしまうのをさらに防止することができる。
【００２２】
上記本発明の第４の照明器具では、上記第１の照明器具と同様の効果が得られ、また、ガイド部は器具本体前方側に突出し下方にのみ電源線引込孔とつながる開口部を有する箱型形状であり、この開口部から電源線が器具本体内の下方に向かって案内されるように形成されてなるので、照明器具を高所や天井面に近い壁面等に設置する際に電源線を下方に引き込むことができ、電源線引き込み作業の作業性がよくなる。
【００２３】
上記本発明の第５の照明器具では、上記第１の照明器具と同様の効果が得られ、また、端子台が電源線引込孔の側方で、ガイド部の開口部よりも高い位置に設けられてなるので、電源線引込孔から侵入した水滴が器具本体や電源線をつたって端子台にまで到ることがなく、絶縁低下等による漏電を防止することができる。
【発明を実施するための最良の形態】
【００２４】
本発明の実施形態における照明器具１は、図１、２に示すように、電源線２を引き込むための電源線引込孔３と、この電源線引込孔３から引き込まれた電源線２が接続される端子台７とを有する器具本体４と、この器具本体４の前方側に設置されたランプ６とを備え、電源線引込孔３から引き込まれた電源線２をランプ６に接近させることなく器具本体４内へ案内するためのガイド部１０が電源線引込孔３の前方側に設けられている。
【００２５】
器具本体４は円盤状で周囲に円筒形の縁を有し、前面側が開口している。この器具本体４の前面側には透光性カバー８が取り付けられる。
【００２６】
また、器具本体４は、器具取付用孔１１においてねじ等を用いて器具裏面パッキン１２を介して壁面等に取り付けられる。
【００２７】
ガイド部１０は、器具本体４と一体成形され、四角形状の電源線引込孔３と対向するガイド面１０ａと側面１０ｂを有しており、下方にのみ電源線引込孔３とつながる開口部９を有している。即ち、ガイド部１０は電源線２を器具本体４の下方に案内するように形成されている。
【００２８】
ランプソケット５は、ソケット取付台１３を介して器具本体４に取り付けられており、ランプ６が取り付けられる。
【００２９】
ここで、ランプ６はその軸線が器具本体４と角度ａの傾きをもつように取り付けられており、ガイド部１０のガイド面１０ａは器具本体４と角度ｂの傾きをもつように形成されている。そして、本実施形態においては、角度ａと角度ｂを等しくしている。
【００３０】
端子台７はガイド部１０の開口部９の側方で、開口部９よりも高い位置に設けられており、電源線引込孔３から引き込まれた電源線２はガイド部１０から一旦下方に引き込まれた後、上方に向かって屈曲して端子台７に接続される。
【００３１】
以上のように、本実施形態における照明器具１では、電源線引込孔３から引き込まれた電源線２をランプ６に接近させることなく器具本体内へ案内するためのガイド部１０が電源線引込孔３の前方側に設けられてなるので、電源線２を器具本体４内へ引き込む際に電源線２がランプ６に接触してランプ６が破損してしまうのを防止することができ、その結果、照明器具４内への電源線引き込み作業が容易になる。
【００３２】
また、ガイド部１０によって、引き込まれた電源線２がランプ６に接近するのを防止することができるので、施工後に電源線２がランプ６に接近して加熱劣化してしまうのを防止することができる。
【００３３】
また、ガイド部１０がランプ６からの熱を吸収するので、電源線２がランプから受ける熱の影響を低減することができる。その結果、ランプ６をより器具本体４側に近づけることができ、照明器具１の薄型化が可能となる。
【００３４】
また、ガイド部１０は電源線引込孔３と対向するガイド面１０ａを有し、このガイド面１０ａは器具本体４と平行か又は電源線２が引き込まれていく方向に向かって器具本体４から離れるように傾斜してなるので、電源線２をよりスムーズに器具本体４内へ引き込むことができる。
【００３５】
また、ランプ６はその軸線が器具本体４と角度ａをもつように設置されてなり、ガイド面１０ａと器具本体４との角度ｂを、角度ａと等しくしているので、電源線２とランプ６との距離が縮まることがなく、電源線２がランプ６に接近して加熱劣化してしまうのをさらに防止することができる。
【００３６】
また、ガイド部１０は器具本体４前方側に突出し下方にのみ電源線引込孔３とつながる開口部９を有する箱型形状であり、この開口部９から電源線２が器具本体４内の下方に向かって案内されるように形成されてなるので、照明器具１を高所や天井面に近い壁面等に設置する際に電源線２を下方に引き込むことができ、電源線引き込み作業の作業性がよくなる。
【００３７】
また、端子台７が電源線引込孔３の側方で、ガイド部１０の開口部９よりも高い位置に設けられてなるので、電源線引込孔３から侵入した水滴が器具本体４や電源線２をつたって端子台７にまで到ることがなく、絶縁低下等による漏電を防止することができる。
【００３８】
なお、本実施形態においては、ランプ６の軸線と器具本体４との角度ａと、ガイド部１０のガイド面１０ａと器具本体４との角度ｂを等しくしたが、これに限定されず、角度ｂを角度ａよりも小さくしてもよい。
【図面の簡単な説明】
【００３９】
【図１】本発明の実施形態における照明器具１の分解斜視図である。
【図２】同実施形態における照明器具１の部分断面図である。
【図３】従来の照明器具２１の部分断面図である。
【図４】従来の温風乾燥機３１の断面図である。
【符号の説明】
【００４０】
１  照明器具
２  電源線
３  電源線引込孔
４  器具本体
５  ランプソケット
６  ランプ
７  端子台
８  透光性カバー
９  開口部
１０  ガイド部
１３  ソケット取付台
【図１】
2005235710.tif 000003
【図２】
2005235710.tif 000004
【図３】
2005235710.tif 000005
【図４】
2005235710.tif 000006